(57)【要約】【課題】腕を動きやすくすると共に、外見のよい上衣を提供する。【解決手段】この上衣の脇下には、脇下マチ片１が縫着されている。脇下マチ片１は、略楕円状の形状である。脇下マチ片１の一方の長手曲線１ａは袖３に縫着されている。他方の長手曲線１ｂは身頃４に縫着されている。各々の縫着部分は、袖ぐりの全長に対して５０％未満の長さである。脇下マチ片１の長手曲線１ａ及び１ｂの曲率は、袖ぐりの曲率に比べて小さくなっている。このような曲率の脇下マチ片１の長手曲線１ａ及び１ｂを、袖ぐりに沿って縫着しようとすると、その曲率が異なるため、必然的に脇下マチ片１に歪が生じる。この歪により、また、脇下マチ片１が確実に脇下に収まっていることより、脇下マチ片１は、脇に沿う形で折り畳まれやすくなる。【選択図】    図３
2004238743.tif 000002
【特許請求の範囲】
【請求項１】
略楕円状の脇下マチ片の長手曲線の一方は袖に縫着され、他方は身頃に縫着されており、各縫着部分は、袖ぐりの全長に対して５０％未満の長さである脇下マチ片が縫着されてなる上衣であって、縫着前における脇下マチ片の長手曲線の曲率は、袖ぐりの曲率に比べて小さいことを特徴とする脇下マチ片が縫着されてなる上衣。
【請求項２】
略楕円状の脇下マチ片の長軸の長さは１０〜２０ｃｍである請求項１記載の脇下マチ片が縫着されてなる上衣。
【請求項３】
略楕円状の脇下マチ片の長軸の長さをＹとし、該脇下マチ片の長手曲線の一方又は他方の長さをＸとしたとき、０．８５Ｘ≦Ｙ≦０．９８Ｘを満足する請求項１又は２記載の脇下マチ片が縫着されてなる上衣。
【請求項４】
脇下マチ片の素材がメッシュ生地又はレース生地である請求項１記載の脇下マチ片が縫着されてなる上衣。
【請求項５】
脇下マチ片に脱臭剤が含有されている請求項１記載の脇下マチ片が縫着されてなる上衣。
【発明の詳細な説明】
【０００１】
【発明の属する技術分野】
本発明は、脇下部分に脇下マチ片が縫着されてなるコート、背広上、ジャケットなどの上衣に関するものである。
【０００２】
【従来の技術】
従来より、脇下部分に脇下マチ片を縫着して、腕を前後左右に動きやすくした上衣が提案されている（特許文献１、特許文献２、特許文献３）。このうち、本発明に最も近い技術に係る特許文献１には、主としてジャンバーなどのゆったりとした上衣の脇下部分に、脇下マチ片を縫着したものが記載されている。この脇下マチ片１０は、図１に示したように、第１側部１１と第２側部１２とよりなり、第１側部１１の長手曲線は袖側に、第２側部１２の長手曲線は身頃側に縫着し、この縫着部分は袖ぐり全長に対して５０％以上の長さに亙るようになされている。また、第１側部１１の長手直線２Ａと第２側部１２の長手直線２Ｂとは、糸で縫合され、最終的に一体化されている。
【０００３】
特許文献１記載の脇下マチ片において、長手直線２Ａと長手直線２Ｂとが糸で縫合されている理由は、縫合部分に折り畳み作用を持たせるためである。しかしながら、脇下に縫合線が存在すると、脇下に違和感が生じたり、外見が悪いという欠点があった。特に、特許文献１に記載された脇下マチ片は、袖ぐり全長に対して５０％以上の長さに亙って縫着されているため、腕を挙げたときだけでなく、下げているときでも、脇下マチ片が見えやすく、外見が悪いという欠点は顕著であった。
【０００４】
【特許文献１】
特公平４−２８８０２号公報（第１頁の特許請求の範囲、第３欄第３０〜３４行目、第４頁の第２図）
【特許文献２】
特開平９−３１０２１３号公報（第２頁の特許請求の範囲）
【特許文献３】
特許第３０４９５５４号公報（第１頁の特許請求の範囲）
【０００５】
【発明が解決しようとする課題】
そこで、本発明は、特許文献１に記載されているように脇下マチ片の長手方向に縫合線を設けなくても、脇下に良好に脇下マチ片が折り畳まれるように構成することによって、特許文献１記載の上衣の欠点を解決したものである。
【０００６】
【課題を解決するための手段】
すなわち、本発明は、略楕円状の脇下マチ片の長手曲線の一方は袖に縫着され、他方は身頃に縫着されており、各縫着部分は、袖ぐりの全長に対して５０％未満の長さである脇下マチ片が縫着されてなる上衣であって、縫着前における脇下マチ片の長手曲線の曲率は、袖ぐりの曲率に比べて小さいことを特徴とする脇下マチ片が縫着されてなる上衣に関するものである。
【０００７】
なお、特許文献２及び３に記載されている脇下マチ片は、いずれも三日月状の形状を持つものであり、この点で略楕円状の脇下マチ片が縫着されてなる本発明に係る上衣とは、根本的に異なるものである。
【０００８】
本発明で用いる脇下マチ片１は、図２に示したような形状であり、略楕円状である。脇下マチ片１の一方の長手曲線１ａは、袖３（具体的には袖３の袖ぐり部分）に縫着されている。また、他方の長手曲線１ｂは、身頃４（具体的に身頃４の袖ぐり部分）に縫着されている。ここで、身頃４は、前身頃及び後身頃の両者を含んでいてもよいし、いずれか一方だけであってもよい。
【０００９】
脇下マチ片１の袖ぐりに対する各縫着部分は、袖ぐりの全長に対して５０％未満であり、好ましくは４０％以下であるのが良い。すなわち、脇下マチ片１の長手曲線１ａと袖３との縫着部分の長さは、袖ぐりの全長に対して５０％未満であり、また、長手曲線１ｂと身頃４との縫着部分の長さも、袖ぐりの全長に対して５０％未満である。ここで、脇下マチ片１は、文言どおりに脇下に縫着されるものであるから、各縫着部分が袖ぐりの全長に対して５０％未満であると、確実に各縫着部分が脇下に収まり、脇横や脇上に亙ることはない。特に、４０％以下であると、このような作用をより確実に奏しうる。各縫着部分が袖ぐりの全長に対して５０％以上であると、脇下マチ片１が脇横や脇上に亙る恐れがあり、確実に各縫着部分が脇下に収まりにくくなるので好ましくない。さらに、この場合には、腕を下げているときでも、脇下マチ片１が外観に現れやすくなり、外見を悪くするので好ましくない。
【００１０】
本発明で用いる脇下マチ片１において、その長手曲線１ａ及び１ｂの曲率は、袖ぐりの曲率に比べて小さくなっている。したがって、長手曲線１ａを袖ぐりに沿って袖３に縫着すると、脇下マチ片１に歪が生じて、脇下マチ片１の中央の長軸２方向に向かって放射状のたるみが生じる。一方、長手曲線１ｂを袖ぐりに沿って身頃４に縫着しても、同様に脇下マチ片１に歪が生じて、脇下マチ片１の中央の長軸２方向に向かって放射状のたるみが生じる。そして、長手曲線１ａ及び長手曲線１ｂから長軸２方向に向かうたるみが、脇下マチ片１の長軸２近傍で衝突し、長軸２近傍で折れ曲がりやすくなる。
【００１１】
本発明で用いる脇下マチ片１の具体的な大きさは、一般的に、長軸２が１０〜２０ｃｍである。この長軸２の長さは、袖ぐりの脇下部分の長さに対応する。したがって、子供用の上衣や、特大の上衣の場合には、１０ｃｍ未満となったり、２０ｃｍを超えたりすることもある。また、長手曲線１ａ及び１ｂの長さは、長軸２の長さをＹとし、長手曲線１ａ及び１ｂの長さをＸとしたとき、０．８５Ｘ≦Ｙ≦０．９８Ｘを満足する範囲であるのが好ましい。長手曲線１ａ及び１ｂの長さがこの範囲より短いと、その曲率が極端に小さくなり、袖ぐりに脇下マチ片１を縫着しにくくなったり、無理に縫着しても脇下マチ片１に生じる歪が大きくなりすぎて、袖ぐりが引きつった状態となる。なお、鎌深の長さが長い場合は、長手曲線１ａ及び１ｂの長さは、この範囲より短くても差し支えない。また、長手曲線１ａ及び１ｂの長さがこの範囲より長いと、長手曲線１ａ及び１ｂの曲率が、袖ぐりの曲率と同程度になる恐れがある。長手曲線１ａ及び１ｂの一般的な長さは、長軸２の長さを１０〜２０ｃｍとすると、８．５〜１９．６ｃｍの範囲内ということになる。本発明で現実に用いた脇下マチ片１は、図２に示す形状と同一形状であって、長軸２の長さが１５．５ｃｍであり、長手曲線１ａ及び１ｂの長さが１６．３ｃｍのものであった。なお、脇下マチ片の短軸の長さは、長軸両端の直線部分の長さにもよるが、長軸２の長さと長手曲線１ａ及び１ｂの長さが決まれば、自動的に決定されるものである。具体的には、短軸の長さは３〜７ｃｍ程度である。
【００１２】
本発明で用いる脇下マチ片１の素材としては、編織物や不織布など、従来公知の布帛類であれば、どのようなものでも用いうる。特に、本発明においては、通気性に優れた素材を用いるのが好ましく、具体的にはメッシュ生地やレース生地を用いるのが好ましい。このような素材を用いると、脇下に生じる汗をよく蒸散でき、清涼感に富む上衣が得られるからであり、春服や夏服として好適である。また、袖３や身頃４に使用した生地と同一の生地を、脇下マチ片１の素材としてもよい。この場合には、腕を挙げた場合でも、外見が悪くなりにくいからであり、秋服や冬服して好適である。
【００１３】
また、脇下マチ片１の素材として、脱臭剤を含有するものを用いるのも好ましいことである。脇下の汗から生じる異臭を防止できるからである。脱臭剤を含有させる方法としては、布帛類に液状脱臭剤を含浸させる方法、二枚の生地の間に活性炭などの粉末状脱臭剤を挟着させる方法（この場合、脇下マチ片１を構成する素材は二枚の生地が積層されたものとなる。）などがある。
【００１４】
【作用】
本発明で用いる脇下マチ片は、袖ぐりに縫着されるその長手曲線の曲率が、袖ぐりの曲率に比べて小さくなっている。したがって、長手曲線を袖ぐりに沿って袖及び身頃に縫着すると、脇下マチ片に歪が生じて、袖との縫着部分から脇下マチ片の中央の長軸方向に向かって、及び身頃との縫着部分から脇下マチ片の中央の長軸方向に向かって、各々、放射状のたるみが生じる。そして、両者のたるみが、脇下マチ片の長軸近傍で衝突し、長軸近傍で折れ曲がりやすくなる。しかも、脇下マチ片の袖ぐりに対する各縫着部分は、袖ぐりの全長に対して５０％未満の長さであるため、確実に脇下で折り畳まれ、結果的に脇に沿う形で折り畳まれることになる。
【００１５】
【発明の効果】
したがって、脇下マチ片に、特許文献１に記載されたような、長軸に沿う縫合線を設けなくても、脇下マチ片が脇下で脇に沿う形で良好に折り畳まれるという効果を奏する。また、本発明に用いる脇下マチ片には、縫合線を設けなくてもよいので、上衣の着用時に違和感が生じることもないし、外見が悪くなることもないという効果を奏する。もちろん、本発明に係る上衣は、特許文献１に記載されているのと同様に、腕を前後左右はもとより、上下方向にも動きやすくしうるという効果を奏することは、言うまでもないことである。
【００１６】
また、本発明に用いる脇下マチ片の素材として、通気性の良いメッシュ生地やレース生地などを用いると、清涼感に富む上衣が得られる。一方、上衣の生地と同一の生地を脇下マチ片の素材とすると、本発明に係る上衣を着用して、腕を挙げたときでも、脇下部分は上衣と同様の外観となるため、外見を悪くしないという効果を奏する。さらに、脇下マチ片の素材として、脱臭剤を含む生地を用いると、脇の異臭を防止しうるという効果も奏する。
【図面の簡単な説明】
【図１】従来技術である特許文献１に記載されている第１側部１１と第２側部１２との二枚の布帛からなる脇下マチ片の平面図である。
【図２】本発明の一例に係る上衣に用いる脇下マチ片の平面図である。
【図３】脇下マチ片を縫着した本発明の一例に係る上衣の腕を挙げた状態における側面図である。
【符号の説明】
１    脇下マチ片
１ａ  脇下マチ片の長手曲線
１ｂ  脇下マチ片の長手曲線
２    脇下マチ片の長軸
３    袖
４    身頃
【図１】
2004238743.tif 000003
【図２】
2004238743.tif 000004
【図３】
2004238743.tif 000005